(57)【要約】【課題】  後軸筒の長さにかかわらず、回転子の脱落を規制できる筆記具を提供する。【解決手段】  中空の軸筒１と、軸筒１にスライド可能に収容されるリフィールユニット２０と、ノック操作により軸筒１の開口先端部からリフィールユニット２０の筆記部２３を出没させるノック機構３０とを備え、軸筒１を、リフィールユニット２０を交換可能に収容する先軸筒２と、先軸筒２の開口末端部に螺嵌される後軸筒８とから構成する。ノック機構３０を、後軸筒８の内周面に形成される複数のカム条体と、後軸筒８に嵌通されてリフィールユニット２０の末端部側に配備される回転子３４と、回転子３４に形成されて複数のカム条体の間に挿入される複数のカム３８と、ノック操作に基づいて回転子３４を回転させるノック体４１とから構成する。そして、後軸筒８の内周面に被係止突起を形成し、各カム３８に、被係止突起に係止する係止突起を形成する。【選択図】  図１
2005199512.tif 000002
【特許請求の範囲】
【請求項１】
中空の軸筒と、この軸筒にスライド可能に収容されるリフィールユニットと、ノック操作により軸筒の開口先端部からリフィールユニットの筆記部を出没させるノック機構とを含んでなる筆記具であって、
軸筒を、リフィールユニットを交換可能に収容する先軸筒と、この先軸筒の開口末端部に着脱自在に取り付けられる中空の後軸筒とから構成し、
ノック機構を、後軸筒の内周面に形成される複数のカム条体と、後軸筒内に嵌められてリフィールユニットの末端部側に配備される回転子と、この回転子に形成されて複数のカム条体の間に挿入される複数のカムと、ノック操作に応じて回転子を回転させるノック体とから構成し、
後軸筒の内周面に被係止突起を形成し、カムに、被係止突起に係止する係止突起を形成したことを特徴とする筆記具。
【請求項２】
後軸筒と回転子とをリフィールユニットの末端部側のみに配備し、後軸筒の被係止突起とカムの係止突起とを、ノック操作時に非接触とし、後軸筒の取り外し時には係止するよう配備した請求項１記載の筆記具。
【請求項３】
後軸筒の被係止突起とカムの係止突起の少なくとも一方に、Ｒ面又はテーパ面を形成した請求項１又は２記載の筆記具。
【請求項４】
後軸筒の内周面に、軸方向に伸びる複数のカム条体を周方向に間隔をおいて配列し、後軸筒の内周面先端部に、被係止突起を内方向に向けて形成した請求項１、２、又は３記載の筆記具。
【請求項５】
回転子を略筒形に形成してその外周面には、軸方向に伸びる複数のカムを周方向に間隔をおいて配列し、カムの表面末端部側には、係止突起を形成した請求項１ないし４いずれかに記載の筆記具。
【発明の詳細な説明】
【技術分野】
【０００１】
本発明は、ボールペン、修正具、化粧具等からなる筆記具に関するものである。
【背景技術】
【０００２】
筆記には様々なタイプがあるが、その一つとして、軸筒本体内に挿入したリフィールユニットの交換が可能なタイプが知られている。
【０００３】
このタイプの筆記具は、図示しないが、軸筒本体に挿入される交換可能なリフィールユニットと、ノック操作により軸筒本体の開口先端部からリフィールユニットのボールペンチップを出没させるノック機構とを備え、このノック機構が、軸筒本体とリフィールユニットの間に介在されるコイルスプリングと、軸筒本体の末端部を構成する着脱自在の後軸筒に設けられる複数のカム条体と、軸筒本体に挿入されてリフィールユニットの末端部に配備される回転子と、この回転子に設けられて複数のカム条体の間に挿入される複数のカムと、ノック操作に応じて回転子を回転させるノック体とから構成されている（特許文献１参照）。
【特許文献１】特開２００３‐６３１９２号公報
【発明の開示】
【発明が解決しようとする課題】
【０００４】
従来の筆記具は、以上のように構成され、リフィールユニットの交換に際し、ノック機構の回転子を軸筒本体の外部に取り出さなければならないので、ユーザによっては、再度組み立てることが困難であるという大きな問題がある。この問題を解消する手段としては、後軸筒に、回転子の周縁部に係止する突起部を形成し、この突起部の係止により、回転子の脱落を規制する方法があげられる。
【０００５】
しかしながら、リフィールユニットが太い場合には、後軸筒にリフィールユニットを収めることができない場合が生じる。この場合には、後軸筒の長手方向の寸法を短縮して対応することになるが、そうすると、後軸筒の突起部により、回転子の周縁部に係止することができないおそれが少なくない。
【０００６】
本発明は、上記に鑑みなされたもので、後軸筒の長さにかかわらず、回転子の脱落を規制することのできる筆記具を提供することを目的としている。
【課題を解決するための手段】
【０００７】
本発明においては、上記課題を解決するため、中空の軸筒と、この軸筒にスライド可能に収容されるリフィールユニットと、ノック操作により軸筒の開口先端部からリフィールユニットの筆記部を出没（現れたり、隠れたりする）させるノック機構とを含んでなるものであって、
軸筒を、リフィールユニットを交換可能に収容する先軸筒と、この先軸筒の開口末端部に着脱自在に取り付けられる中空の後軸筒とから構成し、
ノック機構を、後軸筒の内周面に形成される複数のカム条体と、後軸筒内に嵌められてリフィールユニットの末端部側に配備される回転子と、この回転子に形成されて複数のカム条体の間に挿入される複数のカムと、ノック操作に応じて回転子を回転させるノック体とから構成し、
後軸筒の内周面に被係止突起を形成し、カムに、被係止突起に係止（引っかかる）する係止突起を形成したことを特徴としている。
【０００８】
なお、後軸筒と回転子とをリフィールユニットの末端部側のみに配備し、後軸筒の被係止突起とカムの係止突起とを、ノック操作時に非接触とし、後軸筒の取り外し時には係止するよう配備することができる。
また、後軸筒の被係止突起とカムの係止突起の少なくとも一方に、Ｒ面又はテーパ面を形成することができる。
【０００９】
また、後軸筒の内周面に、軸方向に伸びる複数のカム条体を周方向に間隔をおいて配列し、後軸筒の内周面先端部に、被係止突起を内方向に向けて形成することもできる。
さらに、回転子を略筒形に形成してその外周面には、軸方向に伸びる複数のカムを周方向に間隔をおいて配列し、カムの表面末端部側には、係止突起を形成することもできる。
【００１０】
ここで、特許請求の範囲における軸筒、先軸筒、後軸筒は、透明でもそうでなくても良い。後軸筒は、先軸筒の開口末端部に螺子嵌めされたり、きつく嵌め入れ等される。また、リフィールユニットは、太くても細くても良い。ノック体は、後軸筒の開口末端部から直接露出するものでも良いし、クリップ付きの飾りやノック棒等を介して間接的に露出するものでも良い。
【００１１】
ノック機構は、筆記時におけるノック体のノック操作に基づき、回転子を回転させてカムに形成した係合爪とカム条体に形成した係合歯とを噛み合わせ、軸筒の開口先端部から突出したリフィールユニットの筆記部を後退不能とし、未筆記時におけるノック体のノック操作に基づき、回転子を回転させてカムとカム条体との噛み合わせを解除し、各カムを複数のカム条体間に位置させ、軸筒から突出したリフィールユニットの筆記部を後退可能とすることが好ましい。
【００１２】
突起と係止突起とは、例えば断面半円形、断面略半楕円形、断面略矩形、断面略多角形、断面略鉤爪等に形成される。さらに、本発明に係る筆記具には、少なくとも各種のペン、修正具、化粧具等が含まれる。
【００１３】
本発明によれば、リフィールユニットを交換する場合には、軸筒の一部である後軸筒を先軸筒から取り外し、先軸筒からリフィールユニットを取り出せば良い。この際、ノック機構の回転子がスライドすることがあるが、後軸筒の被係止突起にカムの係止突起が引っかかり、後軸筒から回転子が脱落することがない。また、筆記具の組み立て作業時においても、後軸筒内から脱落することがないため、作業工程を簡略化することができる。
【００１４】
また、後軸筒と回転子とをリフィールユニットの末端部側に共に配備すれば、例えリフィールユニットが太くても、軸筒の太くならない筆記具を得ることができる。
【００１５】
また、後軸筒の被係止突起とカムの係止突起とを、ノック操作時に非接触とし、後軸筒の取り外し時には係止する位置に配備すれば、ノック操作時に違和感の生じることがない。すなわち、被係止突起と係止突起とがノック操作時に接触する場合には、動作不良を招くおそれがある。
これに対し、本発明によれば、ノック操作時に非接触であるから、動作不良を招くことがなくなる。
【００１６】
また、後軸筒の被係止突起とカムの係止突起の少なくとも一方に、Ｒ面又はテーパ面を形成すれば、筆記具の製造組み立てが容易となる。特に、後軸筒に回転子を挿入して乗り越えさせる時の抵抗を減少させることができる。
さらに、カムの表面末端部側に係止突起を設ければ、後軸筒内でスライドする回転子のスライド量を長くできる。
【発明の効果】
【００１７】
本発明によれば、後軸筒の長さにかかわらず、回転子の脱落を規制することができるという効果がある。
【発明を実施するための最良の形態】
【００１８】
以下、図面を参照して本発明の好ましい実施の形態を説明すると、本実施形態におけるノック式の筆記具は、図１ないし図９に示すように、中空の軸筒１と、この軸筒１にスライド可能に挿入されるリフィールユニット２０と、ノック操作により軸筒１の開口先端部からリフィールユニット２０の筆記部２３を出没させるカーン式のノック機構３０とを備え、軸筒１の後軸筒８に被係止突起９を形成し、ノック機構３０のカム３８に、被係止突起９に係合する係止突起４０を形成するようにしている。
【００１９】
軸筒１は、図１に示すように、リフィールユニット２０を進退動可能に収容する長い中空の先軸筒２と、この先軸筒２の開口末端部に着脱自在に螺嵌される短い中空の後軸筒８とから構成され、ポリカーボネート等からなる所定の合成樹脂を使用して透明に成形されており、外気の流通を許容するよう機能する。
【００２０】
先軸筒２は、図１に示すように、開口先端部が先細りの円筒形に成形され、先端部からフランジ３を備えた中央部付近に亘る領域には、指当て用の筒形のラバーグリップ４が覆着されており、リフィールユニット２０を交換可能に収容する。
【００２１】
先軸筒２は、その内周面の先端部に、半径内方向に突出する支持段差部５が形成され、内周面の末端部には、後軸筒締結用の雌螺子６が周方向に螺刻形成される。先軸筒２の外周面の先端部から中央部付近に亘る領域には、軸筒１や先軸筒２の軸方向に伸びる複数の膨出凸部７が周方向に所定の間隔をおいて配列され、このラバーグリップ４から露出した略小判形の各膨出凸部７がリフィールユニット２０用の拡大レンズ機能を発揮する。
【００２２】
後軸筒８は、図２ないし図７に示すように、末端面が斜めの円筒形に成形され、止め具であるクリップ体１１と嵌合しており、リフィールユニット２０の末端部側に位置する。この後軸筒８は、その内周面先端部に、半径内方向に指向する被係止突起９がリング形に突設され、外周面には雄螺子１０が周方向に螺刻形成されており、この雄螺子１０が先軸筒２の雌螺子６と螺合する（図２ないし図４参照）。被係止突起９は、断面略半円形にＲ面が形成され、組み立て時の抵抗を減少させるよう機能する。
【００２３】
クリップ体１１は、図６や図７に示すように、末端面が斜めの円筒形に成形された外筒１２と、この外筒１２から先軸筒２の先端部方向に伸びる可撓性のクリップ１３とから着色して一体成形され、末端面が後軸筒８の末端面に沿うよう一体的に嵌合される。
【００２４】
リフィールユニット２０は、図１に示すように、例えば所定のインキ２１の充填された透明のインキ収容管２２と、このインキ収容管２２の先端部に連通して装着され、ノック時（筆記時）に先軸筒２の開口先端部から突出する筆記部２３とから構成される。インキ２１は、例えば赤、白、青、黒等の顔料インキ等があげられ、剪断減粘性の有無を特に問うものではない。
【００２５】
インキ収容管２２は、合成樹脂等の所定の材料を使用して長い中空に成形され、所定の光透過率に設定される。筆記部２３は、インキ収容管２２の先細りの先端部に嵌着されるカバー２４を備え、このカバー２４には、回転可能なボール２５を出没可能に嵌合保持するチップが設けられる。
【００２６】
ノック機構３０は、図１や図２等に示すように、先軸筒２とリフィールユニット２０の間に介在されるリフィールユニット２０用のばね部材３１と、後軸筒８に形成される複数のカム条体３２と、後軸筒８に隙間を介し嵌入されてリフィールユニット２０の末端部側に着脱自在に配備される回転子３４と、この回転子３４に形成されて複数のカム条体３２の間にそれぞれ挿入される複数のカム３８と、ノック操作に基づいて回転子３４を所定の角度で回転させるノック体４１とから構成される。
【００２７】
ばね部材３１は、図１に示すように、例えばコイルスプリング等からなり、インキ収容管２２の先端部に着脱自在に嵌通された状態で先軸筒２に着脱自在に嵌入され、この先軸筒２の支持段差部５に支持されており、ノック操作時にリフィールユニット２０に圧縮されたり、進出したリフィールユニット２０を不使用時の元の位置に後退復帰させる。
【００２８】
複数のカム条体３２は、図４に示すように、後軸筒８の内周面周方向に間隔をおいて配列され、複数のカム３８を軸筒１の軸方向（長手方向）にガイドする。各カム条体３２は、軸筒１や後軸筒８の軸方向に伸びる略線条あるいは長方形の薄板に形成され、先端部が周方向に切り欠かれて係合歯３３を形成する。
【００２９】
回転子３４は、図２や図８等に示すように、ポリアセタールやポリオキシメチレン等の合成樹脂を使用して中空に形成され、後軸筒８内にスライド可能に嵌め通されるとともに、先軸筒２の末端部内に回転可能・進退動可能に挿入されており、リフィールユニット２０の末端部側に位置する。
【００３０】
この略筒形の回転子３４は、リフィールユニット２０の末端部側に対向接触する中空ハット形の拡径筒３５と、この拡径筒３５の末端部に一体的に連通する中空の長い縮径筒３６とを備え、これら拡径筒３５と縮径筒３６との段差部表面には、連続した複数の鋸歯３７が周方向に周設される。
【００３１】
複数のカム３８は、図２や図８に示すように、回転子３４の周方向に間隔をおいて配列される。各カム３８は、軸筒１や後軸筒８の軸方向に伸びる略線条あるいは長方形の薄板に形成され、末端部が周方向に直線的に切り欠かれて係合爪３９に傾斜形成されており、この係合爪３９がカム条体３２の係合歯３３と係合する。各カム３８の表面末端部側には、図８に示す円形の係止突起４０が膨出形成され、この係止突起４０が後軸筒８の被係止突起９に係止する。
なお、被係止突起９と係止突起４０とは、ノック操作時に非接触の位置関係にあり、後軸筒８の取り外し時には係止する位置関係にある。
【００３２】
ノック体４１は、図２や図９に示すように、ＡＢＳ樹脂等を使用して略円筒形に形成され、回転子３４の縮径筒３６に回転可能・着脱自在に嵌入されるとともに、後軸筒８に隙間を介しスライド可能に挿入されてその開口末端部からノック操作可能に露出する。このノック体４１の開口周縁部には、連続する駆動歯４２が周方向に周設され、この駆動歯４２が回転子３４の鋸歯３７と完全あるいは不完全に噛合する。
【００３３】
このような構成のノック機構３０は、筆記時にノック体４１がノック操作されると、ノック体４１がリフィールユニット２０に接触している回転子３４を先軸筒２方向にスライドさせるとともに、各カム３８が複数のカム条体３２に案内されつつ先軸筒２方向にスライドし、各カム３８の係合爪３９がカム条体３２の係合歯３３を通過し、リフィールユニット２０がばね部材３１を圧縮しながら先軸筒２の開口先端部から筆記部２３を突出させる。
【００３４】
各カム３８の係合爪３９がカム条体３２の係合歯３３を通過すると、カム条体３２による回転子３４の回転規制が解除され、ノック体４１の駆動歯４２が回転子３４の鋸歯３７に完全に噛合圧接して駆動力を付与し、回転子３４が所定の角度（例えば、３０°以下）で回転して各カム条体３２の係合歯３３とカム３８の係合爪３９とを噛合させるとともに、この噛合により回転子３４の後退が規制され、先軸筒２の開口先端部から突出したリフィールユニット２０の筆記部２３が後退不能（規制）となり、安定した筆記が可能になる。
【００３５】
これに対し、筆記が終了してノック体４１がノック操作されると、回転子３４が押圧されて前方の先軸筒２方向にスライドし、噛合が解除されるとともに、ノック体４１の駆動歯４２により回転子３４が回転する。そして、ノック体４１が後退すると、突出していたリフィールユニット２０がばね部材３１の復元作用により、後軸筒８方向に後退して各カム３８を複数のカム条体３２の間に位置させ、先軸筒２の開口先端部から突出していたリフィールユニット２０の筆記部２３が先軸筒２内に没入する。
【００３６】
上記構成において、リフィールユニット２０を交換する場合には、軸筒１の後軸筒８を緩めて取り外し、先軸筒２からリフィールユニット２０を取り出せば良い。この際、ノック機構３０の回転子３４が複数のカム条体３２に案内されながら後軸筒８の末端部方向から先端部方向にスライドするが、後軸筒８の被係止突起９に各カム３８の係止突起４０が係止するので、後軸筒８から回転子３４が脱落して分解することがない。したがって、いかなるユーザでもノック機構３０を容易に組み立てることが可能になる。
【００３７】
また、後軸筒８の長手方向の寸法を短縮する場合でも、回転子３４の脱落を規制することができる。さらに、カム３８の表面先端部側ではなく、カム３８の表面末端部側に係止突起４０を突設するので、回転子３４のスライド量を長く確保することができる。
【００３８】
なお、上記実施形態では先軸筒２の外周面の先端部から中央部付近に亘る領域に、複数の膨出凸部７を周方向に所定の間隔をおいて配列したが、これに限定されるものではなく、先軸筒２の外周面の先端部から中央部付近に亘る領域に、リング形のレンズ部を一体形成してラバーグリップ４を省略しても良い。また、後軸筒８は、長くしても、短くしても良いし、クリップ体１１と一体化することもできる。
【００３９】
また、後軸筒８の内周面先端部に、被係止突起９をエンドレスに突設したが、回転子３４の脱落を防止できるのであれば、何らこれに限定されるものではない。例えば、後軸筒８の内周面先端部に、複数の被係止突起９を所定の間隔をおいて配列しても良い。さらに、各カム３８の表面末端部側に係止突起４０を膨出形成したが、任意のカム３８の表面末端部側に、円形、矩形、多角形等の係止突起４０を形成することもできる。
【図面の簡単な説明】
【００４０】
【図１】本発明に係る筆記具の実施形態を示す断面全体説明図である。
【図２】本発明に係る筆記具の実施形態における後軸筒、クリップ体、ノック機構を示す断面説明図である。
【図３】本発明に係る筆記具の実施形態における後軸筒を示す説明図である。
【図４】本発明に係る筆記具の実施形態における後軸筒を示す断面説明図である。
【図５】本発明に係る筆記具の実施形態におけるクリップ体を示す断面説明図である。
【図６】本発明に係る筆記具の実施形態におけるクリップ体を示す平面説明図である。
【図７】本発明に係る筆記具の実施形態におけるクリップ体を示す側面説明図である。
【図８】本発明に係る筆記具の実施形態における回転子を示す部分展開断面説明図である。
【図９】本発明に係る筆記具の実施形態におけるノック体を示す部分断面説明図である。
【符号の説明】
【００４１】
１          軸筒
２          先軸筒
８          後軸筒
９          被係止突起
２０        リフィールユニット
２３        筆記部
３０        ノック機構
３１        ばね部材
３２        カム条体
３４        回転子
３８        カム
４０        係止突起
４１        ノック体
【図１】
2005199512.tif 000003
【図２】
2005199512.tif 000004
【図３】
2005199512.tif 000005
【図４】
2005199512.tif 000006
【図５】
2005199512.tif 000007
【図６】
2005199512.tif 000008
【図７】
2005199512.tif 000009
【図８】
2005199512.tif 000010
【図９】
2005199512.tif 000011